【事件の表示】
　特願２０１３−１８９２１２「電動式揺動バジネットを有するプレイヤード」拒絶査定不服審判事件〔平成２５年１２月　５日出願公開、特開２０１３−２４０７２３、請求項の数（３）〕について、次のとおり審決する。
【結　論】
　原査定を取り消す。
　本願の発明は、特許すべきものとする。
【理　由】
第１　手続の経緯　
　本件出願は、平成２０年１０月３０日（パリ条約による優先権主張　２００７年１１月１日（以下「優先日」という。）、２００８年１月２５日、２００８年４月２８日、米国）に出願された特願２００８−２７９９６１号の一部を、平成２５年９月１２日に特許法第４４条第１項の規定による新たな特許出願としたもので、原審において平成２６年８月８日付けで拒絶理由が通知され、同年１１月５日付けで手続補正がされ、同年１２月１７日付けで拒絶査定（以下「原査定」という。）がされ、これに対して、平成２７年４月２２日に拒絶査定不服審判が請求され、その後、当審において平成２８年２月２３日付けで拒絶理由（以下「当審拒絶理由」という。）が通知され、同年５月３０日付けで手続補正がされたものである。
　
第２　本件出願の発明 
　本件出願の請求項１ないし３に係る発明は、平成２８年５月３０日付けの手続補正で補正された特許請求の範囲の請求項１ないし３に記載された事項により特定される、次のとおりのものと認める（以下本願の請求項１、２、３に係る発明のそれぞれを「本願発明１」〜「本願発明３」という。）。
　「【請求項１】
　選択的にその上に取付け可能なバジネットを有するプレイヤードのための調節可能な底部板部材において、
　前記調節可能な底部板部材が、
　第１の区分と、
　第２の区分と、
　前記第１の区分を前記第２の区分に分離可能に連結することを可能とする連結具と、
　を備えており、
　前記第１の区分が、前記バジネット及び前記プレイヤードで利用するための２つの異なる大きさの底部板を選択的に形成するために、前記第２の区分に対して相対的に移動可能とされ、
　前記第１の区分及び前記第２の区分の組合せが、前記プレイヤードの床部材を形成するような大きさになっており、前記第２の区分が前記バジネットの底部支持面を形成するような大きさになっており、
　前記第２の区分が、小区分のうち一の小区分が前記小区分のうち隣り合う小区分に対して相対的に曲げられるように、共に連結されている前記小区分を備えており、
　前記小区分が、前記小区分が互いから連結解除されないように共に連結されていることを特徴とする調節可能な底部板部材。
　　【請求項２】
　前記連結具が、前記第１の区分を前記第２の区分に対して曲げることができる舌状部と溝部とから成る連結手段であることを特徴とする請求項１に記載の調節可能な底部板部材。
　　【請求項３】
　前記小区分それぞれが、舌状部と溝部とから成る連結手段によって、前記小区分のうち前記隣り合う小区分に別々に連結されていることを特徴とする請求項１に記載の調節可能な底部板部材。」
　
第３　原査定の理由について
１．原査定の理由の概要
　本願の各請求項に係る発明は、その出願前に日本国内又は外国において、頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。
　　　　　　　　　　　　　　　　　　記
　刊行物１：米国特許出願公開第２００６／０２５３９７８号明細書（以下「引用文献１」という。）
　刊行物２：米国特許出願公開第２００７／０２１４５７６号明細書（以下「引用文献２」という。）
　
　引用文献１（FIG.1B参照）には、playyard 10に底部に取り付けるremovable floor mat 16であって、fabric bassinet 30（バジネット）の底部に挿入可能とするために、折り畳み可能な構造であるremovable floor mat 16（底部板部材）が記載されている。
　引用文献２（段落［００３４］−［００３７］、FIG.9参照）には、removable mattress assembly 20の折り畳み構造として、hinge pins 70（舌状部）及びhinge knuckles 72（溝部）からなる連結具手段が用いられる点が記載されており、段落［００２７］、FIG.3、FIG.8に記載されているように、support structure 22はmattress assembly 20を構成する部材であり、playardsの底部に敷いて用いるものであるので、本願の底部板部材に対応するものと認められる。
　そして、引用文献１及び引用文献２に記載された発明は、プレイヤードに用いる折り畳み可能な底部板部材という点で共通しているので、引用文献１に記載のremovable floor matの折り畳み構造に、引用文献２に記載の上記構成を適用して、舌状部と溝からなる連結具手段を用いる構成とすることは、当業者が容易に想到し得たことである。
　また、出願人が主張する本願の請求項１乃至５に係る発明により奏する効果も、引用文献１及び引用文献２の記載から当業者が予測し得る程度のものである。
　なお、連結具を用いることにより、マット部材を折り畳み可能かつ分離可能に連結する構成は、実願平４−３８２８２号（実開平６−２９４６０号）のＣＤ−ＲＯＭ（以下「引用文献３」という。）等に示されているように、本願出願前に周知の技術である。
　　
２．原査定の理由の判断
（１）刊行物の記載事項
ア．＜引用文献１＞
　引用文献１には、図面と共に次の事項が記載されている。（原文の後の括弧｛｝内に記載したものは、当審での訳文である。）
　「[0019]  Generally, the present disclosure relates to a bassinet assembly removably mountable on a playyard frame across a top opening of the playyard at essentially a mid-point of two-spaced apart side rails of the playyard. The bassinet assembly includes a fabric bassinet that is couplable in a use position across a portion of the top opening to portions of a fabric frame cover overlying the two-spaced apart side rails and one of two spaced-apart end rails. The coupling of the fabric bassinet to the fabric frame cover is configured such that the fabric bassinet is essentially maintained in the use position when an upward or downward force is exerted on the fabric bassinet from within the top opening, thereby preventing an undesired uncoupling of the fabric bassinet from the fabric frame cover. 」 
｛「［００１９］ 一般に、本開示はバシネット組立体に関し、前記の組立体は、プレイヤードの上部開口にあるフレーム上に、プレイヤードの間隔を取った二本のサイドレールのほぼ中間点で取り外し可能に取り付けられている。前記のバシネット組立体は布製バシネットを含み、前記の布製バシネットは上部開口の一部分の使用位置で、間隔を取った二本のサイドレール及び間隔を取った二本のエンドレールの一本を覆う布製フレームカバーの一部分と結合できる。布製バシネットの布製フレームカバーとの結合部は、布製バシネットがほぼ使用位置に保持されるように構成されて、上向きもしくは下向きの力が上部開口内部から布製バシネットに掛かった時に、布製バシネットが不用意に布製フレームカバーから外れるのを防いでいる。」｝
　「[0020] More specifically, as shown in  FIGS. 1A and 1B , playyard  10  includes a collapsible frame  12 , fabric frame cover  14  and removable floor mat  16 . Frame  12  includes two spaced-apart side rails  18 ,  19  and spaced-apart first and second end rails  20 ,  22 , all cooperating to form a top opening  24  of the playyard  10 . Playyard  10  also includes a bassinet assembly  26  including a cross-bar  28  and a fabric bassinet  30 . Fabric bassinet  30  is shown in  FIG. 1A  in a substantially unstructured state coupled to and hanging downwardly from cross-bar  28 . Fabric bassinet  30  includes bassinet connectors  32  and fabric connectors  33  configured to couple the fabric bassinet  30  to fabric frame cover  14 . Cross-bar  28  includes frame connectors  34 , shown, for example, as J-shaped clips, configured to be mountable on collapsible frame  12 , at substantially a mid-point of side rails  18 ,  19 , as suggested in  FIG. 1B . Fabric bassinet  30  is shown, for example, in a substantially structured state in  FIG. 1B  as it would appear when bassinet assembly  26  and fabric bassinet  30  are coupled to collapsible frame  12  and installed in a use position in playyard  10 , as shown in  FIG. 2 .」 
｛「［００２０］　より具体的には、図１Ａ及び図１Ｂに図示するように、プレイヤード１０は折り畳めるフレーム１２と布製フレームカバー１４と取り外しができるフロアーマット１６を含む。フレーム１２は、間隔を取った二本のサイドレール１８、１９と間隔を取った第一及び第二のエンドレール２０、２２を含み、これら全てがプレイヤード１０の上部開口２４を形成するように一緒に作用している。プレイヤード１０は、クロスバー２８及び布製のバシネット３０を備えたバシネットアセンブリ２６も含む。布製のバシネット３０は、図１Ａに示すように、クロスバーに結合して下方にぶら下がって、ほぼ組み立てられていない状態で図示されている。布製のバシネット３０はバシネットのコネクター３２及び布製コネクター３３を含み、布製のバシネット３０を布製フレームカバー１４に結合できるように構成されている。クロスバー２８は、図１Ｂで示唆したように、折り畳めるフレーム１２上にサイドレール１８　、１９のほぼ中間点で装着できるように構成された、例えば、Ｊ字形クリップのように示されたフレームコネクター３４を含む。バシネットのアセンブリ２６及び布製バシネット３０が折り畳めるフレーム１２に結合され、プレイヤード１０の使用位置に据え付けられた時には、図２に示されているように、布製のバシネット３０は、例えば、図１Ｂのようにほぼ組み立てられた状態と示される。」｝ 
「12 . The playyard of  claim 1 , further including a floor mat configured to be foldable and insertable into the fabric bassinet to form a solid bottom in the fabric bassinet when the fabric bassinet is coupled to the fabric frame cover in the use position.  」
｛「請求項１２．請求項１に記載のプレイヤードであり、布製バシネットが布製フレームカバーに使用位置で装着されている時に、布製バシネットに頑丈な底部を形成するために折り畳めて、布製バシネット内に挿入するように構成されたフロアーマットを更に含む。」｝
　図１Ｂをみると、フロアーマット１６は折り畳み可能に連接された４つの構成部材からなっており、布製バシネット３０内に挿入されるときには２つの構成部材が裏側に折り畳まれて、残り２つの構成部材が布製バシネット３０の底部表面となり、プレイヤード１０の床（フロアー）として使用されるときは、上記布製バシネット３０底部表面となる２つの構成部材に加えて、他の２つの構成部材もプレイヤード１０の床として展開されていることが看取できる。
　
　上記の記載事項、及び図示事項を総合すると、引用文献１には、次の発明（以下「引用発明１」という。）が記載されているものと認められる。
　「布製バシネット３０を備えた、プレイヤード１０に対して取り外し可能に取り付けられるバシネット組立体２６と共に、プレイヤード１０に含まれるフロアーマット１６であって、
　上記フロアーマット１６は、布製バシネット３０がプレイヤード１０に使用位置で装着されている時に、布製バシネット３０に頑丈な底部を形成するために、布製バシネット内３０に挿入できるように折り畳み可能に連接された４つの構成部材からなっており、
　布製バシネット３０内に挿入されるときには２つの構成部材が折り畳まれて、残り２つの構成部材が布製バシネット３０の底部表面となり、プレイヤード１０の床として使用されるときは、上記布製バシネット３０の底部表面となる２つの構成部材に加えて、他の２つの構成部材もプレイヤード１０の床として展開されるフロアーマット１６。」
　
イ．＜引用文献２＞
　引用文献２には、図面と共に次の事項が記載されている。
　「[0009] FIG. 1  shows a bottom perspective view of a mattress assembly for a product that provides a contained child play and/or sleep area and that is constructed in accordance with the teachings of the present invention.
[0010] FIG. 2  shows a perspective view of a playard suitable for use in conjunction with the mattress assembly shown in  FIG. 1 .
[0011] FIG. 3  shows the mattress assembly of  FIG. 1  as it is being removed from the playard.」
｛「［０００９］図１は、本発明の教示に従って、小児のための囲まれた遊び場及び／又は寝場所を提供する製品用に作られたマットレスアセンブリの底面透視図を示す。
［００１０］図２は、図１に示したマットレスアセンブリと一緒に使うのに適したプレイヤードの透視図を示す。
［００１１］図３は、図１のマットレスアセンブリが、プレイヤードから取り除かれている状態で示す。」｝
　「[0023] Turning now to the drawings,  FIG. 1  is a perspective bottom view of a mattress assembly  20  constructed in accordance with the teachings of the present invention. The mattress assembly  20  in the disclosed example includes a multi-piece support structure  22  and a mattress pad  24  detachably coupled to the support structure. The specific features of the mattress assembly  20  are described in greater detail below. The mattress assembly  20  disclosed herein is suitable for use in products that offer a contained child play or sleep area, and is particularly well suited for a product where the mattress is to be removed so that the product can be collapsed. Clearly, the mattress assembly  20  disclosed herein can be used for other products requiring a mattress, but is particularly well suited for products where the mattress be removable and where the products are intended to be portable.」
｛「［００２３］今、図を参照すると、図１は、本発明の教示に従って作られたマットレスアセンブリ２０の底面透視図である。開示した実施例でのマットレスアセンブリ２０は、多数個の支持体２２及び、支持体に取り外せるように結合されたマットレスパッド２４を含む。マットレスアセンブリ２０の明確な特徴は、以下でかなり詳細に説明される。ここで開示されるマットレスアセンブリ２０は、小児のために囲まれた遊び場もしくは寝場所の提供製品での使用に適していて、更にマットレスが取り外せて、製品が折り畳めるような製品には特に適している。明らかに、ここで開示されるマットレスアセンブリ２０は、マットレスが必要とする他製品にも用いることができるが、特にマットレスが取り外せるような製品もしくは携行を意図している製品にはよく適している。｝」
　「[0025] The conventional playard  26  also has a side wall and a bottom as shown in  FIG. 2 . In this example, the legs  28  are interconnected by fabric, nylon, or mesh side panels  34  that form the side wall. The side panels  34 , in conjunction with a bottom panel  36 , define the fabric enclosure or contained area. In the typical playard  26 , the bottom panel  36  is a flimsy fabric layer suspended and/or supported above the ground surface by the bottom frame (not shown). The typical bottom panel  36  does not offer much actual support for an occupant of the playard. Instead, a mattress assembly is typically received within the contained area of the playard, rests on the bottom panel  36 , and is usually supported by the bottom frame structure above the ground surface. The mattress structure itself typically provides the firm support for an occupant of the playard. The mattress is removable from and insertable into the playard  26 , as shown in  FIG. 3 . Often, the bottom frame structure includes one or more additional downward projecting feet  38 . The feet  38  can provide additional stability and support with the frame structure in the in-use configuration depicted in  FIGS. 2 and 3 .」
｛「［００２５］従来のプレイヤード２６は、図２に示すように、側壁と底部も備えている。この例では、脚２８は布地、ナイロン、もしくはメッシュ状の側面パネル３４で接続されて、側壁を形成している。側面パネル３４は、底部パネル３６と共に、布地の囲いもしくは布地で囲われた領域を画定する。一般的なプレイヤード２６での底部パネル３６は、地上に底部フレームで張られた及び／又は支えられた薄い布地層である。一般的な底部パネル３６では、プレイヤードに居る人に向けては大して現実的な支えを提供してはいない。その代わり、マットレスアセンブリは一般に、プレイヤードで囲われた領域内に収容されて、底部パネル３６上に拡がり、底部フレーム部によって地上に通常は支えられる。マットレスの構造体自体が、一般にプレイヤードに居る人に向けてしっかりとした支えを提供している。マットレスは、図３に示すように、プレイヤード２６に対して取り外しや挿入ができる。しばしば、底部フレーム部には、一つ又は複数の下方に延びた足３８を追加して含まれる。足３８は、図２・図３で示したような使用時の構造でのフレーム部で、安定性と支持を更に増して提供できる。｝」
　「[0030] FIGS. 7-10  show one example of the mattress assembly  20  constructed in accordance with the teachings of the present invention.  FIG. 7  shows a partially exploded view and  FIG. 8  shows a partially assembled view of the mattress assembly  20 , both views being from the bottom. The support structure  22  of the mattress assembly  20  has four plastic molded panel sections including two inner or interior panels  50 a and two outer panels  50 b in this example. The panel sections  50 a and  50 b in the disclosed example each are formed as elongate rectangular panels with a pair of opposed long sides  52  and a pair of opposed shorter ends  54 . The edges of each panel  50 a and  50 b in the disclosed example include a perimeter rib or structural channel  56  along the long sides  52  and short sides  54  for strength and rigidity. Each panel section  50 a and  50 b also includes a plurality of traversing ribs or channels  58  that extend laterally between the long sides  52 . A centrally disposed rib or channel  60  is positioned at a mid-point between the long sides and extends longitudinally between the shorter ends  54 . Each of the traversing ribs  58  and longitudinal ribs  60  of the panels  50 a and  50 b in the disclosed example provide additional structural rigidity for the respective panel.」 
｛「［００３０］図７〜１０は、本発明の教示に従って作成された、マットレスアセンブリ２０の一つの例を示す。図７は、マットレスアセンブリ２０の一部の分解図を示し、図８はマットレスアセンブリ２０の一部の組立て図を示し、両図は共に底面から見たものである。マットレスアセンブリ２０の支持体２２は、プラスチックで成形した四つのパネル部を備えていて、更に前記のパネル部は、この例では内側パネル５０ａを二枚と、外側パネル５０ｂを二枚備えている。前記の開示された例での前記のパネル部５０ａ及び５０ｂは、細長い長方形のパネルで、一組の対向する長辺５２及び一組の対向する短手５４を備えて形成されている。前記の開示された例でのパネル５０ａ及び５０ｂのそれぞれの端部には、強度と頑丈さのために、長辺５２及び短手５４に沿って、周辺リブもしくは構造的なチャネル５６が含まれる。前記のパネル部５０ａ及び５０ｂのそれぞれは、横行のリブもしくはチャネル５８を複数個含み、複数の長辺５２の間で横方向に伸びている。中央に配置されたリブもしくはチャネル６０は、複数の長辺の中間点に設置されて、短手５４の間で縦方向に伸びている。本発明での開示例でのパネル５０ａ及び５０ｂの、横方向のリブ５８及び縦方向のリブ６０のそれぞれでは、それぞれのパネルの構造的な頑丈さを追加している。 」｝
　「[0033] Also in the disclosed example, each of the panel sections  50 a and  50 b includes a plurality of hinge components arranged along their respective edges. As will be evident to those having ordinary skill in the art, the panel sections  50 a and  50 b can each be created as identical panels interchangeable with one or another, whether all of the components of each panel are used or not, depending on their position in the assembled structure. In the disclosed example, the two interior panel sections  50 a are identical to one another and hingedly connected to one another and two end panel sections  50 b are identical to one another and hingedly connected to the interior panels. However, in this example, the end panel sections  50 b are different from the interior panels  50 a. 
[0034] In the disclosed example as shown in  FIGS. 7-9 , the interior panels  50 a each have a plurality of hinge components carried on the long sides  52  integrally molded or formed as part of the panel sections. The hinge components include hinge pins  70  and hinge knuckles  72  alternately spaced along each of the long sides  52 . Each hinge pin  70  is formed standing off the edge of the side  52 . Each knuckle  72  is in the form of an elongate hook sized to receive or snap onto a corresponding pin  70  on an adjacent panel section. As best shown in  FIGS. 8 and 9 , the pins  70  and knuckles  72  on one edge of the panel alternate positionally with the pins  70  and knuckles  72  on the opposite edge of the panel section. Thus, one panel section can be attached to another identical panel section by snapping the pins  70  in corresponding barrels  72  on the adjacent panel. The pins  70  stand off the edge of the panel section to permit rotation of the knuckles  72  around the pins. Thus, the panel sections  50 a and  50 b can be pivoted relative to one another at least 90 degrees in either direction in this example to achieve the alternate folded configurations shown in FIGS.  5 A and  5 AB.」
｛「［００３３］本開示例では、また、パネル部５０ａ及び５０ｂのそれぞれは、それぞれの端部に沿って配置されたヒンジ部品を複数個含んでいる。当分野での当業者には明らかなように、パネル部５０ａ及び５０ｂはそれぞれ交換可能な同一のパネルとして作成され、それぞれのパネル部品全てが使われるかどうかは、組み立て構造での位置に依る。本開示例では、二個の内側パネル部５０ａは互いに同一であって、互いにヒンジ式に接続されていて、二個の端部パネル部５０ｂは互いに同一であって、ヒンジ式に内側パネルと接続されている。しかし、本開示例では、端部パネル部５０ｂは内側パネル５０ａとは別な物である。
［００３４］図７から図９に示すような開示例では、内側パネル５０ａのそれぞれには、一体成型もしくはパネル部の一部として作成された長辺５２上に支えられたヒンジ部品が複数個含まれている。前記のヒンジ部品には、それぞれの長辺５２に沿って交互に間隔を取って並ぶヒンジピン７０と関節７２が含まれている。それぞれのヒンジピン７０は、側面５２の端部から離れて作成される。それぞれの関節７２は、隣接パネル部上の対応ピン７０上に収まるもしくは嵌合するような大きさの、細長いフックの形状をしている。図８及び図９で最も良く分かるように、パネルの片端にあるピン７０及び関節７２は、パネル部の反対の端部にあるピン７０及び関節７２とは位置的には互い違いになっている。このように、隣接パネル上にある対応した筒７２に複数のピン７０を嵌めることで、一つのパネル部を別の同一形状のパネル部に取付けることができる。前記のピン７０はパネル部の端部から離れていて、関節７２が前記のピンの周りで回転できるようになっている。このように、パネル部５０ａ及び５０ｂを互いに対して、この例ではどちらの方向にも少なくとも９０度旋回することができ、図５Ａ及び図５ＡＢに示すように替りの巻き方を実現することもできる。」｝
　
　上記の記載事項、及び図示事項を総合すると、引用文献２には、次の発明（以下「引用発明２」という。）が記載されているものと認められる。
　「プレイヤード２６に対して取り外しや挿入可能であって、プレイヤードに居る人に向けてしっかりとした支えを提供するマットレスアセンブリ２０であって、
　マットレスアセンブリ２０は、多数個の支持体２２及び、支持体に取り外せるように結合されたマットレスパッド２４を含み、
　マットレスアセンブリ２０の支持体２２は、プラスチックで成形した二枚のパネル部５０ａ及び二枚のパネル部５０ｂを備えていて、
　パネル部５０ａ及び５０ｂのそれぞれは、それぞれの端部に沿って配置されたヒンジ部品を複数個含んでいて、
　ヒンジ部品には、交互に間隔を取って並ぶヒンジピン７０と関節７２が含まれており、
　隣接パネル上にある対応した関節７２に複数のヒンジピン７０を嵌めることで、一つのパネル部を別の同一形状のパネル部に取付けることができる
　マットレスアセンブリ２０。」
　
ウ．＜引用文献３＞
　引用文献３には、図面と共に次の事項が記載されている。
　「この考案は、蒲団を断面的あるいは平面的に分割することにより、当初の本来の用途以外にも使用できるようにしたものである。
  従来、ベビー蒲団とか、こたつ敷蒲団といったものは、その使用時期が終わると、その使用の目的を失い、収納スペースの荷物と化するか、あるいは廃棄処分となってしまう。また使用期間中にあっては、非常に汚れやすいものでありながら、家庭での洗濯・乾燥は困難である。
  本考案は、これらの欠点を除くためになされたもので、これを図面について説明すれば、従来のベビー蒲団を断画的に分割したものが１、１′、１″であり、従来のこたつ蒲団を平面的に分割したものが２、２′、２″、２′′′である。各パーツはオープンファスナー３により合わせられる。
  本考案は、以上のような構成であるから、第１図のベビー布団の場合、１、１′、１″各各を平面的に連ねればベッドパットとして使用でき（第４図）、また組み合わせ方によっては寝袋としても使用できる（第５図）。第３図のこたつ蒲団の場合は、一つのパーツ２のみを４つ折にしてカバーをかければ座蒲団として使用できる（第６図）。」（第３頁第２〜１６行）
　
（２）本願発明１について
ア．対比
　本願発明１と引用発明１とを対比する。
　後者における「プレイヤード１０」は、その構造や機能等からみて、前者における「プレイヤード」に相当し、同様に、「布製バシネット３０を備えた、プレイヤード１０に対して取り外し可能に取り付けられるバシネット組立体２６」は「選択的にその上に取付け可能なバジネット」に相当する。 
　また、後者における「フロアーマット１６」は、折り畳んだり展開したりすることにより、使用時の大きさ（面積）を調整することが可能であって、布製バシネット３０に「頑丈な底部」を形成する機能を持つところから、前者でいう「調節可能な底部板部材」に相当し、その内の「布製バシネット３０の底部表面」となる２つの構成部材が「第２の区分」に相当し、プレイヤード１０の床となるときに展開される他の２つの構成部材が「第１の区分」に相当する。
　そして、上記の「第１の区分」に相当する２つの構成部材は、前記バシネット組立体２６（バジネット）及び前記プレイヤード１０（プレイヤード）で利用するための２つの異なる大きさの底部板を選択的に形成するために、上記の「第２の区分」に相当する他の２つの構成部材に対して相対的に移動可能とされているといえる。また、後者で「布製バシネット３０内に挿入されるときには２つの構成部材が裏側に折り畳まれて、残り２つの構成部材が布製バシネット３０の底部表面となり、プレイヤード１０の床として使用されるときは、上記布製バシネット３０の底部表面となる２つの構成部材に加えて、他の２つの構成部材もプレイヤード１０の床として展開される」としているのは、前者で「前記第１の区分及び前記第２の区分の組合せが、前記プレイヤードの床部材を形成するような大きさになっており、前記第２の区分が前記バジネットの底部支持面を形成するような大きさになっている」としていることに相当する。また、後者において、「フロアーマット１６を構成している４つの構成部材」は、それぞれをフロアーマット１６の小区分とみることができる。　
　したがって、両者は、 
　「選択的にその上に取付け可能なバジネットを有するプレイヤードのための調節可能な底部板部材において、
　前記調節可能な底部板部材が、
　第１の区分と、
　第２の区分と、
　を備えており、
　前記第１の区分が、前記バジネット及び前記プレイヤードで利用するための２つの異なる大きさの底部板を選択的に形成するために、前記第２の区分に対して相対的に移動可能とされ、
　前記第１の区分及び前記第２の区分の組合せが、前記プレイヤードの床部材を形成するような大きさになっており、前記第２の区分が前記バジネットの底部支持面を形成するような大きさになっており、
　前記第２の区分が、隣り合う小区分を備えている調節可能な底部板部材。」 
　の点で一致し、以下の点で相違している。   
　［相違点］
　本願発明１の底部板部材が「前記第１の区分を前記第２の区分に分離可能に連結することを可能とする連結具」を備えており、「前記第２の区分が、小区分のうち一の小区分が前記小区分のうち隣り合う小区分に対して相対的に曲げられるように、共に連結されている前記小区分を備えており、」「前記小区分が、前記小区分が互いから連結解除されないように共に連結されている」というのに対し、引用発明１のフロアーマット１６（底部板部材）は、第１の区分と第２の区分に相当する構成部材の連結関係、並びにそれらを分離可能に連結することを可能とする連結具を備えているか否かは不明であるし、また、フロアーマット１６の第２の区分に相当する構成部材（小区分）がどのように連結されているのか明確ではない点。
　
イ．判断
　上記の相違点について検討する。
　引用発明２は、上記（１）イのとおりであって、引用発明２における「プレイヤード２６」は、その構造、機能、作用等からみて、本願発明１における「プレイヤード」に相当し、以下同様に、「マットレスアセンブリ２０の支持体２２」は「底部板部材」に、「ヒンジピン７０、関節７２」は「連結具」に、「二枚のパネル部５０ａ」は「第１の区分」に、「二枚のパネル部５０ｂ」は「第２の区分」に、「（一枚の）パネル部５０ｂ」は「小区分」に、それぞれ相当する。
　してみると、引用発明２には、上記相違点１に係る本願発明１の底部板部材が「第１の区分を第２の区分に連結することを可能とする連結具」を備えており、「前記第２の区分が、小区分のうち一の小区分が前記小区分のうち隣り合う小区分に対して相対的に曲げられるように、共に連結されている前記小区分を備えており、」「前記小区分が、前記小区分が互いから共に連結されている」との発明特定事項を具備しているが、底部板部材が第１の区分を第２の区分に「分離可能に」連結する、及び前記小区分が、前記小区分が互いから「連結解除されないように」共に連結されているとの発明特定事項を具備するものではない。
　また、蒲団において、用途を変更するために、連結具を用いて蒲団を折り畳み可能かつ分離可能に連結したものは、本願の優先日前において周知の技術事項（例えば、上記（１）ウ参照。以下「周知の技術事項１」という。）であるところ、仮に、引用発明２に上記周知の技術事項１を適用したとしても、上記相違点１に係る本願発明１の前記小区分が、前記小区分が互いから「連結解除されないように」共に連結されているとの発明特定事項を導き出すことはできない。
　しかも、上記のとおり、引用発明２に上記周知の技術事項１を適用することは、いわゆる容易の容易となってしまう。
　そして、上記相違点１に係る本願発明１の発明特定事項が、当業者にとって設計事項とする根拠もない。
　したがって、本願発明１は、引用発明１、及び２、並びに上記の周知の技術事項１に基づいて、当業者が容易に発明をすることができたものとすることはできない。
　
（３）本願発明２、及び３について
　本願発明２、及び３は、本願発明１をさらに限定したものであるので、本願発明２、及び３も、本願発明１と同様に、引用発明１、及び２、並びに上記の周知の技術事項１に基づいて、当業者が容易に想到し得たものとはいえない。
（４）小括
　よって、原査定の理由によっては、本願を拒絶することはできない。
　
第４　当審で指摘した拒絶理由について
１．当審拒絶理由の概要
　本願の各請求項に係る発明は、その出願前に日本国内又は外国において、頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。
　
　　　　　　　　　　　　　　　　　記
　刊行物１：米国特許出願公開第２００６／０２５３９７８号明細書（引用文献１）
　刊行物２：米国特許出願公開第２００７／０２１４５７６号明細書（引用文献２）
　刊行物４：特開２００２−１０２０１７号公報（以下「引用文献４」という。）
　刊行物５：実願平１−１２３４６５号（実開平３−６４０８０号）のマイクロフィルム（以下「引用文献５」という。）
　刊行物６：特開２０００−１５７３７０号公報（以下「引用文献６」という。）
　刊行物７：特開２００４−１５４３２５号公報（以下「引用文献７」という。）
　刊行物８：特開平７−１８０７０９号公報（以下「引用文献８」という。）
　刊行物９：登録実用新案第３０８８０６２号公報（以下「引用文献９」という。）
  本願請求項１に係る発明と引用発明１とは、次の点で相違する。 
　（相違点）　本願請求項１に係る発明の底部板部材が「前記第１の区分を前記第２の区分に分離可能に連結することを可能とする連結具」を備えるのに対して、引用発明１のフロアーマット１６（底部板部材）は、そのような連結具を備えているか否かは不明である点。
　上記の相違点について検討する。
　例えば、引用文献４ないし７に示されているように、マットや布団などの敷物類を異なるサイズで使用可能とする目的のもとに、それらの敷物類を構成する部材を分離可能に連結するものは、本願の優先日前において周知の技術事項である。 
　引用発明１に係る「フロアーマット」は、その「マット」という名称から明らかなように、底部板部材として機能する敷物とみることができ、当該敷物をプレイヤードとバシネット（バジネット）という異なるサイズで使用可能とするために、上記周知の技術事項を採用することは、当業者であれば容易に想到可能といえる。 
　してみれば、引用発明１において、上記周知の技術事項を適用して、上記相違点に係る本願請求項１に係る発明の発明特定事項とすることは、当業者であれば容易になしうる程度の事項といえる。 
　以上のとおり、本願請求項１に係る発明は、引用発明１、及び上記周知の技術事項に基づいて、当業者が容易に発明をすることができたものであるから、特許法第２９条第２項の規定により特許を受けることができない。 
　また、本願請求項２以下の各発明に係る発明特定事項も格別のものではないから、当該各発明も、本願請求項１に係る発明と同様に、特許法第２９条第２項の規定により特許を受けることができない。 
　
２．当審拒絶理由の判断
（１）刊行物の記載事項
ア．＜引用文献１、２＞の記載事項と、引用発明１、２の認定は、上記「第３　２．（１）ア．、及びイ．」において指摘したとおりである。
イ．＜引用文献４＞
　引用文献４には、図面と共に次の事項が記載されている。
　「【０００１】
【発明の属する技術分野】本発明は基材を組み合わせることで形成される組立式マットに係り、特に詳しくは、基材を簡単な作業で組み合わせることで、容易に組み立てることができるとともに、使用者の使用感を向上させることができる組立式マットに関する。」
　「【００１２】本発明の組立式マットは、一方の基材の前記内層部を、他方の基材の前記外層部内に挿嵌することにより、前記各基材同士が着脱自在に連結され、この連結される前記基材の数を増減させることで、座布団、背もたれ、敷きマット等その用途に応じた大きさのマットを組み立てることができる。」
　「【００１６】組立式マット１の組立作業においては、図１に示すように、２つの基材１０，１０を、一方の基材１０のガイド板１６を他方の基材１０のガイド溝１５に沿わせて、一方の基材１０の内層部１１を他方の基材１０の中空部１４内に挿嵌することによって、各基材１０，１０同士を着脱自在に連結することができる。したがって、少なくとも２個以上の基材１０同士を、同様の作業で連結することにより、組立マット１の長さを変化させることができる。」
　
　上記の記載事項を総合すると、引用文献４には、次の事項（以下「引用文献４記載の事項」という。）が記載されているものと認められる。
　「一方の基材１０のガイド板１６を他方の基材１０のガイド溝１５に沿わせて、一方の基材１０の内層部１１を他方の基材１０の中空部１４内に挿嵌することにより、各基材１０，１０同士を着脱自在に連結することができるようにし、連結される基材の数を増減させることで、座布団、背もたれ、敷きマット等その用途に応じた大きさのマットを組み立てることができる組立式マット。」
　
ウ．＜引用文献５＞
　引用文献５には、図面と共に次の事項が記載されている。
　「長さを８００〜１，０００ｍｍに切断した籐（１）の多数条を用いた幅８００〜１，０００ｍｍで、長さが１，６００〜５，０００ｍｍで、かつ縁仕上した単位敷物（２）と、その長手方向に縁相互を折畳み可能とした接合手段（３）とからなることを特徴とする籐敷物。」（第１頁第４〜８行）
　「【作用】
　従来みられなかった縁仕上げした上記サイズの単位敷物（２）を形成し、この単位敷物（２）に接合手段（３）を設けると、使用時には単位敷物（２）を次々と接合させることにより、部屋に合ったサイズの籐敷物を形成することができる。　
　また、逆に収納時には、接合手段（３）部分で折畳んだり解くことができて、単位敷物（２）幅になって、収納容易な小さいサイズのものものとなる。」（第３頁第３〜１１行）
　
　上記の記載事項を総合すると、引用文献５には、次の事項（以下「引用文献５記載の事項」という。）が記載されているものと認められる。
　「長さを８００〜１，０００ｍｍに切断した籐１の多数条を用いた幅８００〜１，０００ｍｍで、長さが１，６００〜５，０００ｍｍの単位敷物（２）を形成し、その長手方向に縁相互を折畳み可能とした接合手段（３）を設けて、使用時には単位敷物（２）を次々と接合させることにより、部屋に合ったサイズの籐敷物を形成することができる籐敷物。」
　
エ．＜引用文献６＞
　引用文献６には、図面と共に次の事項が記載されている。
　「従来の布団（敷き布団、掛け布団）では、予め一定のサイズに形成されているので、大人用は大人のみ、子供用は子供のみというように、主に使用者の身長に応じて使用対象者が限定されてしまっていた。」（第２頁第１欄第３９〜４２行）
　「図９は、略凸状に形成した布団ブロック２Ｃと、略凸部及び凹部を具備する形状に形成した布団ブロック２Ｄとを交互に組み合わせながら、相互に接合する辺部２ｃに設けた各辺部着脱部材２０Ｂをもって、適当なサイズのユニット布団１Ｅを形成したものである。」（第３頁第４欄第２〜７行）
　「【発明の効果】本発明によれば、大人用、大人二人用、身長の特に大きい使用者用、子供用というように、使用者の身長、使用目的に応じて各サイズに変更可能な極めて斬新なユニット布団を提供することができる。」（第４頁第５欄第２２〜２５行）
　
　上記の記載事項を総合すると、引用文献６には、次の事項（以下「引用文献６記載の事項」という。）が記載されているものと認められる。
　「略凸状に形成した布団ブロック２Ｃと、略凸部及び凹部を具備する形状に形成した布団ブロック２Ｄとを交互に組み合わせて接合し、使用者の身長や、使用目的に応じて各サイズに変更可能な布団ブロック群を形成可能としたユニット布団。」
　
オ．＜引用文献７＞
　引用文献７には、図面と共に次の事項が記載されている。
　「【０００５】
【発明が解決しようとする課題】
本発明は、従来より要望されている種々の用途に応じたサイズが変更可能であり、マットレスの基材として要望される性能、すなわち、クッション性、通気性を備え、かつ、各種福祉設備に対応させて脱臭、抗菌、マイナスイオン効果等を備え、加えて、リハビリ基材としての機能も備えたマットレス基材を提供しようとするものである。」
　「【００１０】
【発明の実施の形態】
図１は本発明のマット状連結体の組み立て時の斜視図であり、図２は図１中Ａ−Ａ部拡大断面図である。図３は本発明のマット状連結体の側面図である。これらの図にみられるように、本発明は２個の独立した貫通孔２を設けたマットの幅方向に細長い単位基体１の弾性体を多数個連結してマット状連結体を形成するようになっている。貫通孔２の外周には略円形の山形弾性材層１ａを形成すると共に貫通孔間に谷形弾性材層１ｂを形成している。山形弾性材層１ａも谷形弾性材層１ｂも身体への接触面側にのみ設け、他側は扁平な面としてもよい。
【００１１】
連結を可能にするため、細長い単位基体１の一方の側に突出接続片３を設け、かつ、他方の側に前記突出接続片３を連結するための嵌合溝４を設けている。突出接続片３の端部と嵌合溝４の奥は連結を強固にするためテーパ部３ａ，４ａを設けて拡大している。いわゆる、断面鳩尾形嵌合いである。このような隣り合う単位基体１，１間の突出接続片３と嵌合溝４とを連結するようにしている。」
　
　上記の記載事項を総合すると、引用文献７には、次の事項（以下「引用文献７記載の事項」という。）が記載されているものと認められる。
　「２個の独立した貫通孔２を設けたマットの幅方向に細長い単位基体１の弾性体を多数個連結して、種々の用途に応じたサイズが変更可能であるマット状連結体。」
　
カ．＜引用文献８＞
　引用文献８には、図面と共に次の事項が記載されている。
　「【０００４】
【課題を解決するための手段】上記目的を達成する為に本発明では次のような技術的手段を講じた。即ち、本発明に係る小型部品にあっては、部品素子が合成樹脂製本体部分（１）に一体的に組み込まれて構成された小型部品（Ａ）であって、該合成樹脂製本体部分（１）の前端並びに後端に小型部品（Ａ）相互を屈曲可能に且つ着脱自在に連結するための連結片（２）、（３）が一体成形によって突出形成されている構造とした。
【０００５】
【作用】上記のごとく形成された小型部品（Ａ）は、連結片（２）、（３）による連結手段によって図３に示すように連鎖状に連結することによってロール状に、或いはつずら折り状に巻き取って搬送、格納することができる。」
　
　上記の記載事項を総合すると、引用文献８には、次の事項（以下「引用文献８記載の事項」という。）が記載されているものと認められる。
　「部品素子が合成樹脂製本体部分（１）に一体的に組み込まれて構成された小型部品（Ａ）であって、該合成樹脂製本体部分（１）の前端並びに後端に小型部品（Ａ）相互を屈曲可能に且つ着脱自在に連結するための連結片（２）、（３）が一体成形によって突出形成されて、つづら折り状に巻き取って搬送、格納することができる連結機能を備えた部品。」
　
キ．＜引用文献９＞
　引用文献９には、図面と共に次の事項が記載されている。
　「【０００１】                                        
  【考案の属する技術分野】
  この考案は、商店などの建物の出入口の上部に巻き取られ、引き降ろして出入口を閉める出入口の開閉用シャッターや、建物の入口の床に敷いたり、その床に設けた浅い窪みの中に嵌め入れ、建物に入る人の履物の裏に付着する泥、水、砂埃などを取り除いて床の上や窪みの底に落としたり、プールサイド、ベランダ、浴室などの床に置き、水などを床に落とし、床を掃除するために撤去したり、或るいは格納、運搬などの際には容易に渦状に巻き取って簡単に取り扱うことができる床マットなどの巻き取り可能な簀の子状の物体に適した凹凸嵌合部の組立て装置に関する。」
　「【００３２】
  これまで述べた第１部材１０は突部１４を有するＣ形断面の凹溝１２を両側に備え、第２部材２０は、上記凹溝１２に回動可能に嵌合する係合凸部２１を備えたものとして説明したが、この場合は第１部材と第２部材とを別々に成形する必要がある。しかし、図８に示すように１つの細長い部材５０（図では角形断面であるが板状であってもよい。）の一側に凹溝１２を設け、他側に係合凸部２１（２１Ａや２１Ｂ）を板状部５１により突出させて設け、同じ細長い部材５０の２本宛を凹溝と係合凸部２１Ａや２１Ｂにより回動可能に連結してもよい。」
　
　上記の記載事項、及び図示事項を総合すると、引用文献９には、次の事項（以下「引用文献９記載の事項」という。）が記載されているものと認められる。
　「１つの細長い部材５０の一側に凹溝１２を設け、他側に係合凸部２１を板状部５１により突出させて設け、同じ細長い部材５０の２本宛を凹溝と係合凸部２１Ａや２１Ｂにより回動可能に連結して構成される、床マットなどの巻き取り可能な組立て装置。」
　
（２）本願発明１について
ア．対比
　上記「第３　２．（２）ア．」において既に指摘したように、本願発明１と引用発明１との相違点は、次のとおりである。
　［相違点］
　本願発明１の底部板部材が「前記第１の区分を前記第２の区分に分離可能に連結することを可能とする連結具」を備えて、第１の区分と第２の区分とが分離可能とされる一方、「前記第２の区分が、小区分のうち一の小区分が前記小区分のうち隣り合う小区分に対して相対的に曲げられるように、共に連結されている前記小区分を備えており、」「前記小区分が、前記小区分が互いから連結解除されないように共に連結されている」というのに対し、引用発明１のフロアーマット１６（底部板部材）は、第１の区分と第２の区分に相当する構成部材の連結関係、並びにそれらを分離可能に連結することを可能とする連結具を備えているか否かは不明であるし、また、フロアーマット１６の第２の区分に相当する構成部材（小区分）がどのように連結されているのか明確ではない点。
　
イ．判断
　上記の相違点について検討する。
　上記「第３　２．（２）イ．」に示したとおり、引用発明２には、上記相違点１に係る本願発明１の底部板部材が第１の区分を第２の区分に「分離可能に」連結する、及び前記小区分が、前記小区分が互いから「連結解除されないように」共に連結されているとの発明特定事項を具備するものではない。
　また、例えば、上記引用文献４〜７、及び９記載の事項に示されているように、マットや布団などの敷物類に関して、構成部材に連結機構を設けて、その構成部材を分離可能にしておくこと自体は、本願の優先日前において周知の技術事項（以下「周知の技術事項２」という。）である。
　そして、仮に、引用発明２に上記周知の技術事項２を適用したとしても、上記相違点１に係る本願発明１の前記小区分が、前記小区分が互いから「連結解除されないように」共に連結されているとの発明特定事項を導き出すことはできない。
　しかも、上記のとおり、引用発明２に上記周知の技術事項２を適用することは、いわゆる容易の容易となってしまう。
　そして、上記相違点１に係る本願発明１の発明特定事項が、当業者にとって設計事項とする根拠もないし、また、引用文献８記載の事項にも、上記相違点１に係る本願発明１の発明特定事項は示されていない。
　したがって、本願発明１は、引用発明１、及び２、並びに上記の周知の技術事項２に基づいて、当業者が容易に発明をすることができたものとすることはできない。
　
（３）本願発明２、及び３について
　本願発明２、及び３は、本願発明１をさらに限定したものであるので、本願発明２、及び３も、本願発明１と同様に、引用発明１、及び２、並びに上記の周知の技術事項１に基づいて、当業者が容易に想到し得たものとはいえない。
　
（４）小括
　したがって、当審で通知した拒絶理由によって本願を拒絶することもできない。
　
第５　むすび
　以上のとおり、原査定の理由によって、本願を拒絶することはできない。
　また、他に本願を拒絶すべき理由を発見しない。
　よって、結論のとおり審決する。